(57)【要約】【課題】十分な方向調整幅を確保しながら壁面からの距離を短くでき、且つ調整後は位置ずれを生じることなく確実に固定できるアンテナ取付装置を提供する。【解決手段】アンテナ本体４０の支柱取付部４６に取付用ピン５２を介して取付金具５３を取付ける。取付用ピン５２は、中央に金具装着部７０、上下に上部取付部６１及び下部取付部６２を備える。取付金具５３は、軸固定用ボルト５６及び蝶ナット５７により所定の間隔で対向配置された締付け部８２ａ、８２ｂの一方の側部に軸受部８４ａ、８４ｂ、他方の側部に壁面取付部８６ａ、８６ｂを備え、軸受部８４ａ、８４ｂが上記金具装着部７０に方向調整軸５４により回動可能に取付けられる。方向調整後、取付金具５３の蝶ナット５７を締め付けて締付け部８２ａ、８２ｂの間隔を狭めることにより、軸受部８４ａ、８４ｂが相反する方向に移動し、方向調整軸５４を締め付けて固定する。【選択図】図１
2013021456.tif 000002
【特許請求の範囲】
【請求項１】
略円筒状に形成された取付用ピン本体と、前記取付用ピン本体の中央前面側を開口して設けられる金具装着部と、前記取付用ピン本体の上部位置に設けられてアンテナ本体に取付けられる上部取付部と、前記取付用ピン本体の下部位置に設けられて前記アンテナ本体に取付けられる下部取付部と、前記下部取付部の下側から前記金具装着部の略中心軸に沿って挿入される方向調整軸を保持する調整軸保持手段とを備えた取付用ピンと、
金属板により平板状に形成されて対向配置される１対の締付け部と、前記１対の締付け部の略中心部に装着されて該締付け部を対向状態に保持する軸固定用ボルト及びナットと、前記１対の締付け部の一方の側部にそれぞれ略中央より上部及び下部に略円筒状に形成され、前記取付用ピンに設けられた前記金具装着部において前記方向調整軸を回動可能に保持する軸受部と、前記前記１対の締付け部の他方の側部に形成される外部取付部とを備えた取付金具とを具備し、
前記取付金具は、前記１対の締付け部が所定の間隔に保持されている状態では前記軸受部により前記方向調整軸を回転可能に保持し、前記軸固定用ボルト及びナットにより前記１対の締付け部の間隔が狭くなる方向に締め付けたときに前記軸受部を前記方向調整軸に圧接させて該方向調整軸の位置を固定することを特徴とするアンテナ取付装置。
【請求項２】
略円筒状に形成された取付用ピン本体と、前記取付用ピン本体の中央前面側を開口して設けられる金具装着部と、前記取付用ピン本体の上部位置に設けられてアンテナ本体に取付けられる上部取付部と、前記取付用ピン本体の下部位置に設けられて前記アンテナ本体に取付けられる下部取付部と、前記下部取付部の下側から前記金具装着部の略中心軸に沿って挿入される第１の方向調整軸を保持する調整軸保持手段とを備えた取付用ピンと、
金属板により平板状に形成されて対向配置される１対の締付け部と、前記１対の締付け部の略中心部に装着されて該締付け部を対向状態に保持する軸固定用ボルト及びナットと、前記１対の締付け部の一方の側部にそれぞれ略中央より上部及び下部に略円筒状に形成され、前記取付用ピンに設けられた前記金具装着部において前記方向調整軸を回動可能に保持する第１の軸受部と、前記１対の締付け部の他方の側部にそれぞれ略中央より上部及び下部に略円筒状に形成され、第２の方向調整軸を回動可能に保持する第２の軸受部と、前記第２の軸受部の上下外側において前記第２の方向調整軸に固着される外部取付部とを備えた取付金具とを具備し、
前記取付金具は、前記１対の締付け部が所定の間隔に保持されている状態では前記第１の軸受部により前記第１の方向調整軸を回動可能に保持する共に前記第２の軸受部により前記第２の方向調整軸を回動可能に保持し、前記軸固定用ボルト及びナットにより前記１対の締付け部の間隔が狭くなる方向に締め付けたときに前記第１の軸受部を前記第１の方向調整軸に圧接させると共に前記第２の軸受部を前記第２の方向調整軸に圧接させて該第１の方向調整軸及び第２の方向調整軸の位置を固定することを特徴とするアンテナ取付装置。
【発明の詳細な説明】
【技術分野】
【０００１】
本発明は、アンテナ本体を壁面等に設置する際にアンテナの方向を調整する機能を備えたアンテナ取付装置に関する。
【背景技術】
【０００２】
例えば地上デジタル放送等を受信するアンテナ本体を壁面等に設置して使用する場合、アンテナ本体の背面にアンテナ取付装置を装着し、このアンテナ取付装置を壁面等に取付けている。この種のアンテナ取付装置としては、従来、水平方向に回動可能な１軸構造あるいは２軸構造の可動軸を用いてアンテナの方向を調整できるようにしたものがある（例えば、特許文献１、２参照。）。
【０００３】
図１４は、従来の１軸構造のアンテナ取付装置１０をアンテナ本体１１の背面に装着した状態を示す斜視図である。アンテナ取付装置１０は、壁面側取付基体１２及びアンテナ側取付基体１３からなり、アンテナ側取付基体１３はアンテナ本体１１の背面に複数のボルト及びナット等により固着される。上記アンテナ側取付基体１３は、金属板の上下両端部をアンテナ本体１１とは反対側に９０°折り曲げ、上部保持基板１４ａ及び下部保持基板１４ｂを構成している。上部保持基板１４ａ及び下部保持基板１４ｂは、折り曲げ先端側の幅が狭くなるように略三角形状に形成され、その先端部にボルト挿通孔（図示せず）が設けられる。
【０００４】
また、壁面側取付基体１２は、金属板の上下両端部を壁面取付側とは反対の方向に９０°折り曲げて、上部保持基板１５ａ及び下部保持基板１５ｂを構成している。上部保持基板１５ａ及び下部保持基板１５ｂは、折り曲げ先端側の幅が狭くなるように略三角形状に形成され、その先端部にボルト挿通孔（図示せず）が設けられる。この場合、上部保持基板１５ａ及び下部保持基板１５ｂは、アンテナ側取付基体１３の上部保持基板１４ａ及び下部保持基板１４ｂの外側に位置するように設定される。また、壁面側取付基体１２には、両側に沿って複数の取付穴１６が設けられる。
【０００５】
そして、上記壁面側取付基体１２の上部保持基板１５ａ及び下部保持基板１５ｂをアンテナ側取付基体１３の上部保持基板１４ａ及び下部保持基板１４ｂの外側に位置させ、上下に設けたボルト挿通孔の位置を一致させた状態で、下部保持基板１４ｂ、１５ｂのボルト挿通孔に下側からボルト１７を挿入し、上部保持基板１４ａ、１５ａの上端から外方に突出させ、その上端にナット１８を螺着する。このときナット１８は、ボルト１７に対して緩めた状態とし、壁面側取付基体１２とアンテナ側取付基体１３との間がボルト１７を調整軸として回動できるようにする。
【０００６】
上記のように構成されたアンテナ取付装置１０は、予めアンテナ本体１１に装着しておき、壁面側取付基体１２に設けた複数の取付穴１６を利用し、ネジ等により壁面に取付ける。この状態で、アンテナ側取付基体１３をアンテナ本体１１と共にボルト１７を調整軸として回動し、アンテナ本体１１の方向を最適受信状態となるように調整する。アンテナ本体１１の方向を調整した後、ボルト１７とナット１８を締付け、調整軸の位置、すなわちアンテナ本体１１の位置を固定する。
【０００７】
図１５は、従来のアンテナ取付装置１０のアンテナ調整幅を模式的に示したもので、（ａ）はアンテナ本体１１の前面を壁面１９と平行に、すなわち壁面１９の正面方向に位置させたときの状態を示す平面図、（ｂ）はアンテナ本体１１を壁面１９に当接する最大調整角度θａまで回動したときの状態を示す平面図である。上記１軸構造のアンテナ取付装置１０は、図１５（ｂ）に示すように壁面１９の正面０°方向に対する最大回動角度θａは約７４°である。従って、上記アンテナ取付装置１０は、アンテナ本体１１の方向を壁面１９の前面側において約１４８°の範囲で調整することが可能である。なお、上記図１５は、アンテナ本体１１の横幅Ｗａを約１３０ｍｍ、アンテナ本体１１の前面からアンテナ取付装置１０の調整軸１７の中心までの距離Ｄａを約１１０ｍｍ、上記調整軸１７の中心から壁面１９までの距離Ｌａを約８０ｍｍに設定した場合を例として示している。
【０００８】
上記従来の１軸構造のアンテナ取付装置１０は、アンテナ本体１１と壁面１９との距離を短くできるが、アンテナ本体１１の方向調整幅が約１４８°であり、それ以上広くすることが困難である。
【０００９】
図１６は、従来の２軸構造のアンテナ取付装置２０をアンテナ本体２１の背面に装着した状態を示す斜視図である。アンテナ取付装置２０は、壁面側取付基体２２、アンテナ側取付基体２３、上記壁面側取付基体２２とアンテナ側取付基体２３との間を上下位置で連結する連結部材２４ａ、２４ｂ、この連結部材２４ａ、２４ｂ間に設けられる補強板２５、この補強板２５の両側に位置し、ボルト３１ａ、３１ｂ（回転軸）が挿入されるボルト保持筒２６により構成される。連結部材２４ａ、２４ｂの両側には、ボルト挿入穴が設けられており、このボルト挿入穴の部分にボルト保持筒２６が設けられる。上記補強板２５は、上下に位置する連結部材２４ａ、２４ｂ及び左右に位置するボルト保持筒２６の側部にそれぞれ溶接等により一体に連結される。
【００１０】
上記アンテナ側取付基体２３は、金属板の上下両端部をアンテナ本体２１とは反対側に９０°折り曲げ、上部保持基板２７ａ及び下部保持基板２７ｂを構成している。上部保持基板２７ａ及び下部保持基板２７ｂは、折り曲げ先端側の幅が狭くなるように略三角形状に形成され、その先端部にボルト挿通孔（図示せず）が設けられる。上記アンテナ側取付基体２３は、アンテナ本体２１の背面に複数本のボルト及びナット等により固着される。
【００１１】
また、壁面側取付基体２２は、金属板の上下両端部を一方の側、すなわち壁面取付側とは反対の方向に９０°折り曲げて、上部保持基板２８ａ及び下部保持基板２８ｂを構成している。上部保持基板２８ａ及び下部保持基板２８ｂは、折り曲げ先端側の幅が狭くなるように略三角形状に形成され、その先端部にボルト挿通孔（図示せず）が設けられる。また、壁面側取付基体２２には、両側に沿って複数の取付穴２９が設けられる。
【００１２】
上記連結部材２４ａ、２４ｂは、アンテナ側取付基体２３の上部保持基板２７ａ及び下部保持基板２７ｂ間及び壁面側取付基体２２の上部保持基板２８ａ及び下部保持基板２８ｂ間に位置するように補強板２５及びボルト保持筒２６の高さ寸法が設定される。
【００１３】
そして、上記アンテナ側取付基体２３の上部保持基板２７ａ及び下部保持基板２７ｂ間に連結部材２４ａ、２４ｂの一方の端部を位置させ、上部保持基板２７ａに設けたボルト挿通孔からボルト３１ａを挿入し、ボルト保持筒２６内を挿通させて下部保持基板２７ｂの下側から突出させ、その先端にナット３２を螺着する。また、同様に壁面側取付基体２２の上部保持基板２８ａ及び下部保持基板２８ｂ間に、連結部材２４ａ、２４ｂの他方の端部を位置させ、上部保持基板２８ａに設けたボルト挿通孔からボルト３１ｂを挿入し、ボルト保持筒２６内を挿通させて下部保持基板２８ｂの下側から突出させ、その先端にナット（図示せず）を螺着する。このときボルト３１ａ、３１ｂに螺着したナット３２は緩めた状態とし、アンテナ側取付基体２３及び壁面側取付基体２２と連結部材２４ａ、２４ｂとの間がボルト３１ａ、３１ｂを軸として回動できるようにする。
【００１４】
上記のように構成されたアンテナ取付装置２０は、壁面側取付基体２２に設けた複数の取付穴２９を利用し、ネジ等により壁面に取付け、壁面側取付基体２２を壁面に固定する。この状態で、アンテナ側取付基体２３をアンテナ本体２１と共にボルト３１ａ、３１ｂを軸として回動し、アンテナ本体２１の方向を最適受信状態となるように調整する。アンテナ本体２１の方向を調整した後、ボルト３１ａ、３１ｂに対してナット３２を締付け、アンテナ本体２１の位置を固定する。
【００１５】
上記２軸構造のアンテナ取付装置２０を使用してアンテナ本体２１を壁面に取付けた場合は、アンテナ本体２１を回動できる角度範囲が広くなり、アンテナ本体２１を壁面の正面０°方向に対して最大で約９０°まで回動することが可能となる。従って、上記アンテナ取付装置２０は、アンテナ本体２１の方向を壁面の前面側において約１８０°の範囲で調整することが可能となる。
【先行技術文献】
【特許文献】
【００１６】
【特許文献１】特開２０１０−２２６１５０号公報
【特許文献２】特開２０１１−４９８４８号公報
【発明の概要】
【発明が解決しようとする課題】
【００１７】
上記図１４に示した従来の１軸構造のアンテナ取付装置１０は、構造が簡単であるが、アンテナ本体１１の方向調整幅が狭いという問題がある。また、方向調整後の軸固定には、回転軸となるボルト１７にナット１８を螺着し、両者を締め込むことにより位置を固定、すなわち、軸の鉛直方向からの挟み込みにより位置を固定するようにしているので、ボルト１７及びナット１８を締め込む際の回転力により位置ずれが発生し易い。
【００１８】
また、上記図１６に示した従来の２軸構造のアンテナ取付装置２０は、方向調整幅を広くすることが可能であるが、壁面とアンテナ取付装置２０との距離を広く保つ必要があるため、大型となると共に十分な強度を必要とする。また、方向調整後の軸固定には、１軸構造のアンテナ取付装置１０と同様にボルト３１ａ、３１ｂ及びナット３２を締め込む際の回転力により位置ずれが発生し易いという問題がある。
【００１９】
本発明は上記の課題を解決するためになされたもので、十分な方向調整幅を確保しながら壁面からの距離を短くでき、且つ方向調整後は位置ずれを生じることなく、確実に固定することができるアンテナ取付装置を提供することを目的とする。
【課題を解決するための手段】
【００２０】
第１の発明に係るアンテナ取付装置は、略円筒状に形成された取付用ピン本体と、前記取付用ピン本体の中央前面側を開口して設けられる金具装着部と、前記取付用ピン本体の上部位置に設けられてアンテナ本体に取付けられる上部取付部と、前記取付用ピン本体の下部位置に設けられて前記アンテナ本体に取付けられる下部取付部と、前記下部取付部の下側から前記金具装着部の略中心軸に沿って挿入される方向調整軸を保持する調整軸保持手段とを備えた取付用ピンと、
金属板により平板状に形成されて対向配置される１対の締付け部と、前記１対の締付け部の略中心部に装着されて該締付け部を対向状態に保持する軸固定用ボルト及びナットと、前記１対の締付け部の一方の側部にそれぞれ略中央より上部及び下部に略円筒状に形成され、前記取付用ピンに設けられた前記金具装着部において前記方向調整軸を回動可能に保持する軸受部と、前記前記１対の締付け部の他方の側部に形成される外部取付部とを備えた取付金具とを具備し、
前記取付金具は、前記１対の締付け部が所定の間隔に保持されている状態では前記軸受部により前記方向調整軸を回転可能に保持し、前記軸固定用ボルト及びナットにより前記１対の締付け部の間隔が狭くなる方向に締め付けたときに前記軸受部を前記方向調整軸に圧接させて該方向調整軸の位置を固定することを特徴とする。
【００２１】
第２の発明に係るアンテナ取付装置は、略円筒状に形成された取付用ピン本体と、前記取付用ピン本体の中央前面側を開口して設けられる金具装着部と、前記取付用ピン本体の上部位置に設けられてアンテナ本体に取付けられる上部取付部と、前記取付用ピン本体の下部位置に設けられて前記アンテナ本体に取付けられる下部取付部と、前記下部取付部の下側から前記金具装着部の略中心軸に沿って挿入される第１の方向調整軸を保持する調整軸保持手段とを備えた取付用ピンと、
金属板により平板状に形成されて対向配置される１対の締付け部と、前記１対の締付け部の略中心部に装着されて該締付け部を対向状態に保持する軸固定用ボルト及びナットと、前記１対の締付け部の一方の側部にそれぞれ略中央より上部及び下部に略円筒状に形成され、前記取付用ピンに設けられた前記金具装着部において前記方向調整軸を回動可能に保持する第１の軸受部と、前記１対の締付け部の他方の側部にそれぞれ略中央より上部及び下部に略円筒状に形成され、第２の方向調整軸を回動可能に保持する第２の軸受部と、前記第２の軸受部の上下外側において前記第２の方向調整軸に固着される外部取付部とを備えた取付金具とを具備し、
前記取付金具は、前記１対の締付け部が所定の間隔に保持されている状態では前記第１の軸受部により前記第１の方向調整軸を回動可能に保持する共に前記第２の軸受部により前記第２の方向調整軸を回動可能に保持し、前記軸固定用ボルト及びナットにより前記１対の締付け部の間隔が狭くなる方向に締め付けたときに前記第１の軸受部を前記第１の方向調整軸に圧接させると共に前記第２の軸受部を前記第２の方向調整軸に圧接させて該第１の方向調整軸及び第２の方向調整軸の位置を固定することを特徴とする。
【発明の効果】
【００２２】
本発明によれば、対向して配置した１対の締付け部を軸固定用ボルト及びナットを締め付け、締付け部の側部に設けた軸受部により方向調整軸を直角方向から挟み込んで固定するように構成しているので、十分な方向調整幅を確保しながら位置ずれを生じ難い構造とすることができ、且つアンテナ本体と壁面との距離を短くすることができる。
【図面の簡単な説明】
【００２３】
【図１】本発明の実施例１に係るアンテナ取付装置をアンテナ本体に取付ける際の状態を示す分解斜視図である。
【図２】同実施例１に係るアンテナ取付装置をアンテナ本体に取付けた状態を示す斜視図である。
【図３】同実施例１に係るアンテナ取付装置の取付用ピンの構成を示し、（ａ）は側面図、（ｂ）は同図（ａ）のＡ−Ａ線矢視断面図である。
【図４】同実施例１に係るアンテナ取付装置の取付金具の構成を示す分解斜視図である。
【図５】同実施例１に係るアンテナ取付装置の方向調整軸を締付け固定するときの動作を説明するための取付金具の要部断面図である。
【図６】同実施例１に係るアンテナ取付装置の方向調整幅を模式的に示したもので、（ａ）はアンテナ本体を壁面の正面方向に位置させたときの状態を示す平面図、（ｂ）はアンテナ本体を最大調整角度まで回動したときの状態を示す平面図である。
【図７】本発明の実施例２に係るアンテナ取付装置をアンテナ本体に取付ける際の状態を示す分解斜視図である。
【図８】同実施例２に係るアンテナ取付装置の取付金具部分を示す斜視図である。
【図９】同実施例２に係るアンテナ取付装置の方向調整軸を締付け固定するときの動作を説明するための取付金具の要部断面図である。
【図１０】本発明の実施例３に係るアンテナ取付装置をアンテナ本体に取付ける際の状態を示す分解斜視図である。
【図１１】同実施例３に係るアンテナ取付装置をアンテナ本体に取付けた状態を示す斜視図である。
【図１２】同実施例３に係るアンテナ取付装置の取付金具部分を示す分解斜視図である。
【図１３】本発明の実施例３に係るアンテナ取付装置の方向調整角度を模式的に示したもので、（ａ）はアンテナ本体を壁面の正面方向に位置させたときの状態を示す平面図、（ｂ）はアンテナ本体を最大調整角度まで回動したときの状態を示す平面図である。
【図１４】従来の１軸構造のアンテナ取付装置をアンテナ本体の背面に装着した状態を示す斜視図である。
【図１５】従来のアンテナ取付装置のアンテナ調整幅を模式的に示したもので、（ａ）はアンテナ本体の前面を壁面の正面方向に位置させたときの状態を示す平面図、（ｂ）はアンテナ本体を最大調整角度まで回動したときの状態を示す平面図である。
【図１６】従来の２軸構造のアンテナ取付装置をアンテナ本体の背面に装着した状態を示す斜視図である。
【発明を実施するための形態】
【００２４】
以下、本発明の実施の形態について図面を参照して詳細に説明する。
【実施例１】
【００２５】
図１は本発明の実施例１に係るアンテナ取付装置をアンテナ本体に取付ける際の分解斜視図、図２は同実施例１に係るアンテナ取付装置をアンテナ本体に取付けた状態を示す斜視図である。
【００２６】
図１及び図２において、４０はアンテナ本体、５０はアンテナ本体４０を壁面等に取付けるアンテナ取付装置である。
【００２７】
上記アンテナ本体４０は、樹脂ケース４１内に図示しないが放射素子や反射素子等のアンテナ素子が設けられ、例えば地上デジタル放送等の電波を受信する。樹脂ケース４１は、前面ケース４２及び背面ケース４３からなり、前面ケース４２及び背面ケース４３には、上方部位に受風荷重を軽減するため楕円形の窓４４が設けられる。また、背面ケース４３には、窓４４の下側に給電用の接栓４５が配設され、この接栓４５を介してアンテナ本体４０内の放射素子に給電される。
【００２８】
更に、背面ケース４３の下部には、略半円形の溝状に形成された所定の長さを有する支柱取付部４６が設けられる。この支柱取付部４６の上部位置には上部ボルト取付基部４７ａが設けられ、下端部には下部ボルト取付基部４７ｂが設けられる。上記上部ボルト取付基部４７ａは、円筒状で上部が閉塞された状態に形成され、前面側にボルト穴４８ａが設けられると共に、このボルト穴４８ａに対向する底部にボルト固定用のナット（図示せず）が設けられる。また、上記下部ボルト取付基部４７ｂは、円筒状に形成され、前面側にボルト穴４８ｂが設けられると共に、このボルト穴４８ｂに対向する底部にボルト固定用のナット（図示せず）が設けられる。
【００２９】
そして、上記アンテナ本体４０の支柱取付部４６には、アンテナ取付装置５０が取付用ボルト５１ａ、５１ｂにより固定される。この取付用ボルト５１ａ、５１ｂは、上部ボルト取付基部４７ａ、下部ボルト取付基部４７ｂに設けられたボルト穴４８ａ、４８ｂより挿入され、底部に設けられたナットに螺着してアンテナ取付装置５０を支柱取付部４６に固定する。
【００３０】
アンテナ取付装置５０は、取付用ピン５２、取付金具５３、方向調整軸５４、軸固定用ボルト５６及び蝶ナット５７により構成される。上記方向調整軸５４としては、例えばボルトが使用され、その先端部分にネジ部５５が形成されている。
【００３１】
上記取付用ピン５２は、図３（ａ）、（ｂ）に示すように構成される。図３は取付用ピンの構成を示し、（ａ）は側面図、（ｂ）は同図（ａ）のＡ−Ａ線矢視断面図である。
【００３２】
取付用ピン５２は、例えば合成樹脂により略円筒状に形成され、上端部に上部取付部６１、下端部に下部取付部６２が設けられている。上部取付部６１には、外周面に２つの長穴６３ａ、６３ｂが対向するように設けられる。この長穴６３ａ、６３ｂ内には、上記取付用ボルト５１ａが挿入される。また、下部取付部６２には、外周面に２つの長穴６４ａ、６４ｂが対向するように設けられる。この長穴６４ａ、６４ｂ内には、上記取付用ボルト５１ｂが挿入される。
【００３３】
また、取付用ピン５２には、上部取付部６１の下側に方向調整軸５４の上端を固定する軸固定部６５が設けられ、この軸固定部６５にナット６６が設けられる。このナット６６は、例えばインサート成形あるいは上部からの圧入等により、所定の位置に設けられる。この場合、ナット６６は、取付用ピン５２の中心軸よりも前面側に少し偏心して、すなわち支柱取付部４６の面から離れる方向に偏心して設けられる。
【００３４】
また、取付用ピン５２には、下部取付部６２の上側に方向調整軸５４の頭部を保持する軸保持部６７が設けられ、この軸保持部６７の略中心部にボルト挿通孔６８が設けられる。ボルト挿通孔６８は、軸固定部６５に設けたナット６６と同様に取付用ピン５２の中心軸よりも前面側に少し偏心して設けられる。上記のように軸固定部６５に設けられるナット６６及び軸保持部６７に設けられるボルト挿通孔６８の位置を前面側に少し偏心させることにより、詳細を後述するように金具装着部７０に方向調整軸５４を介して装着される取付金具５３の回動範囲が広くなるようにしている。
【００３５】
上記金具装着部７０は、取付用ピン５２の中央部すなわち軸固定部６５と軸保持部６７との間に設けられる。この金具装着部７０は、取付金具５３を装着する前面側のピン外周壁を取り除いて開口すると共に、その開口部の上端部に円板状の支持板７１、７２を形成している。上部の支持板７１にはナット６６に連通するボルト穴６９が設けられ、下部の支持板７２には軸保持部６７に設けられたボルト挿通孔６８の上端部が開口して設けられる。上記金具装着部７０には、詳細を後述するように取付金具５３が方向調整軸５４により回動可能に装着されるが、装着した取付金具５３が方向調整軸５４を中心として例えば約１７０°の範囲で回動できるように開口部の大きさや形状等が設定される。
【００３６】
また、金具装着部７０は、上部の支持板７１と下部の支持板７２との間に形成される半円筒状の後壁７３が支持板７１、７２の外周面より中心方向に所定距離ずらして設けられる。上記後壁７３には、外周面に沿って複数例えば２つの横リブ７４ａ、７４ｂが所定の間隔で設けられると共に、複数例えば２つの縦リブ７５ａ、７５ｂが所定の間隔で設けられる。上記横リブ７４ａ、７４ｂ及び縦リブ７５ａ、７５ｂは、後壁７３を補強するもので、互いに連結して設けられる。また、縦リブ７５ａ、７５ｂは、下部取付部６２と支持板７１との間においても設けられる。
【００３７】
上記金具装着部７０に装着される取付金具５３は、図４に示すように２つの取付部材８１ａ、８１ｂにより構成される。上記２つの取付部材８１ａ、８１ｂは、略長方形に形成された金属板が横長の状態で対向配置され、略中央部が締付け部８２ａ、８２ｂとなっている。この締付け部８２ａ、８２ｂには、それぞれ中心位置に四角形のボルト挿入穴８３ａ、８３ｂが設けられ、このボルト挿入穴８３ａ、８３ｂに上記軸固定用ボルト５６が挿入される。この軸固定用ボルト５６としては例えば角根丸頭ボルトが使用され、頭部付け根の四角形に形成された部分が上記四角形のボルト挿入穴８３ａ、８３ｂに挿入されて回り止めの作用をする。
【００３８】
また、取付部材８１ａ、８１ｂには、一方の側部、すなわち取付用ピン５２への取付け側に上記方向調整軸５４を保持する略円筒状の軸受部８４ａ、８４ｂが設けられる。一方の取付部材８１ａは、取付用ピン５２への取付け側の側部中央から下側を所定長さ側方に延長して形成し、この延長部を例えば時計方向に円筒状に折り曲げて軸受部８４ａを構成する。他方の取付部材８１ｂは、取付用ピン５２への取付け側の側部中央から上側を所定長さ側方に延長して形成し、この延長部を例えば反時計方向に円筒状に折り曲げて軸受部８４ｂを構成する。上記軸受部８４ａ、８４ｂの内径は、方向調整軸５４の直径用少し大きく設定され、方向調整軸５４を挿入して回動できるようになっている。また、取付部材８１ａ、８１ｂは、軸受部８４ａ、８４ｂに方向調整軸５４を挿入し、締付け部８２ａ、８２ｂに軸固定用ボルト５６及び蝶ナット５７による締付け圧力を加えない状態で、締付け部８２ａ、８２ｂを最接近させたときの間隔が例えば約２〜３ｍｍとなるように設定される。
【００３９】
また、取付部材８１ａ、８１ｂは、締付け部８２ａ、８２ｂの他方の側部、すなわち、軸受部８４ａ、８４ｂとは反対側に位置する壁面取付側の側部をそれぞれ外方に約６０°折り曲げると共に、更にその先端を所定長さ外方に約３０°折り曲げて壁面取付部８６ａ、８６ｂを構成している。この壁面取付部８６ａ、８６ｂは、締付け部８２ａ、８２ｂに対して直角の方向に位置し、取付ける壁面に対して相対向するように設けられる。壁面取付部８６ａ、８６ｂには、例えば上下に円形の取付穴８７が設けられると共に、中央に四角形の取付穴８８が設けられる。上記円形の取付穴８７は、取付金具５３を壁面に取付けるときに使用され、四角形の取付穴８８は取付金具５３を他の取付金具を使用してポール等に取付ける場合に使用される。
【００４０】
上記取付金具５３は、取付部材８１ａ、８１ｂの締付け部８２ａ、８２ｂを合わせてボルト挿入穴８３ａ、８３ｂを一致させ、このボルト挿入穴８３ａ、８３ｂに軸固定用ボルト５６を挿入し、その先端部に蝶ナット５７を螺着する。このとき軸固定用ボルト５６は、頭部付け根の四角形に形成された部分を四角形のボルト挿入穴８３ａ、８３ｂに位置させて回転しないように保持し、蝶ナット５７を軽く締める。このとき取付部材８１ａ、８１ｂに設けた軸受部８４ａ、８４ｂは、上下方向に位置し、同一軸上に保持される。
【００４１】
上記取付金具５３は、アンテナ本体４０の支柱取付部４６において、取付用ピン５２の金具装着部７０に方向調整軸５４を介して回動可能に取付けられる。
【００４２】
次に、上記のように構成されたアンテナ取付装置５０を用いてアンテナ本体４０を壁面に取付ける場合の手順例について説明する。
【００４３】
アンテナ取付装置５０は、先ず、取付用ピン５２をアンテナ本体４０の支柱取付部４６に設けられている下部ボルト取付基部４７ｂに下方から挿入し、上部取付部６１を上部ボルト取付基部４７ａ内に、また下部取付部６２を下部ボルト取付基部４７ｂ内に位置させる。このとき取付用ピン５２は、金具装着部７０の開口部を外方に向けて位置させる。
【００４４】
この状態で、取付金具５３の軸受部８４ａ、８４ｂを取付用ピン５２の金具装着部７０に側方の開口部から挿入する。そして、方向調整軸５４を取付用ピン５２の下部取付部６２に設けられた軸保持部６７に下側開口部から挿入し、更に金具装着部７０に装着された取付金具５３の軸受部８４ａ、８４ｂ内を挿通させ、先端のネジ部５５を上部の支持板７１に設けたボルト穴６９より軸固定部６５のナット６６に螺着する。その後、上部ボルト取付基部４７ａのボルト穴４８ａより取付用ボルト５１ａを挿入し、その先端部を取付用ピン５２の上部取付部６１に設けられている長穴６３ａ、６３ｂ内に挿通させ、支柱取付部４６の底部に設けられているナットに螺着する。また、下部ボルト取付基部４７ｂのボルト穴４８ｂより取付用ボルト５１ｂを挿入し、その先端部を取付用ピン５２の下部取付部６２に設けられている長穴６４ａ、６４ｂ内を挿通させ、支柱取付部４６の底部に設けられているナットに螺着し、取付用ピン５２を支柱取付部４６に固定する。この状態では、取付金具５３は方向調整軸５４に対して回動可能に保持されている。
【００４５】
次に、上記アンテナ本体４０に装着した取付金具５３を壁面に取付ける。すなわち、取付金具５３の壁面取付部８６ａ、８６ｂを壁面の取付け位置に当接させ、取付穴８７を利用してネジ止めする。
【００４６】
そして、アンテナ本体４０に設けられている接栓４５を同軸ケーブルにより例えばＴＶ受像機に接続し、最適な受信状態となるようにアンテナ本体４０の方向を調整する。アンテナ本体４０の方向を調整した後、取付金具５３に設けられている蝶ナット５７を締め付け、アンテナ本体４０の方向を最適受信状態の位置に固定する。
【００４７】
図５（ａ）、（ｂ）は、上記方向調整軸５４を軸受部８４ａ、８４ｂにより締付け固定するときの動作を説明するための締付け部８２ａ、８２ｂ及び軸受部８４ａ、８４ｂ部分の断面図である。蝶ナット５７を締め付ける前は、図５（ａ）に示すように締付け部８２ａ、８２ｂ間は、所定の間隔に保たれており、軸受部８４ａ、８４ｂが同一軸上に保持され、方向調整軸５４を中心として回動可能となっている。従って、この状態ではアンテナ本体４０を回動して電波受信方向を調整することができる。
【００４８】
そして、蝶ナット５７を締め付けると、図５（ｂ）に示すように締付け部８２ａ、８２ｂは間隙が狭くなる方向に移動し、それに伴って軸受部８４ａ、８４ｂは相反する方向に移動して方向調整軸５４に強く圧接する。これにより方向調整軸５４は、取付金具５３との摩擦力により固定された状態に保持され、アンテナ本体４０の位置も固定される。
【００４９】
上記のように蝶ナット５７を締め付けるだけで、アンテナ本体４０の位置を固定することができる。この場合、方向調整軸５４は、軸に対して直角方向から軸固定用ボルト５６、蝶ナット５７等を用い、軸受部８４ａ、８４ｂにより挟み込むことで固定するようにしているので、位置ずれを生じ難い構造とすることができ、且つ、アンテナ本体４０と壁面との距離を短くすることができる。
【００５０】
図６は、本発明の実施例１に係るアンテナ取付装置５０の方向調整角度を模式的に示したもので、（ａ）はアンテナ本体４０を壁面８９の正面方向に位置させたときの状態を示す平面図、（ｂ）はアンテナ本体４０を最大調整角度まで回動したときの状態を示す平面図である。実施例１に係るアンテナ取付装置５０は、図６（ｂ）に示すように壁面８９の正面０°方向に対する最大回動角度θは約８５°であり、アンテナ本体４０の方向を壁面８９の前面側において約１７０°の範囲で調整することができる。上記図６は、アンテナ本体４０の横幅Ｗが約１３０ｍｍ、奥行きＤが約８０ｍｍであり、アンテナ取付装置５０の方向調整軸５４の中心から壁面取付部８６ａ、８６ｂまでの距離Ｌを約８０ｍｍに設定した場合を例として示している。なお、アンテナ本体４０を蝶ナット５７の方向に回動する場合には、実施例１の場合と同様にアンテナ本体４０の回動範囲が蝶ナット５７により制限されるが、軸固定用ボルト５６と蝶ナット５７の装着位置を入れ換えることにより、左右何れの方向にも最大回動角度である約８５°まで調整することが可能である。
【実施例２】
【００５１】
次に本発明の実施例２に係るアンテナ取付装置について説明する。
【００５２】
図７は本発明の実施例２に係るアンテナ取付装置をアンテナ本体に取付ける際の分解斜視図、図８は同実施例２における取付金具部分を示す斜視図である。
【００５３】
この実施例２に係るアンテナ取付装置５０Ａは、取付金具５３Ａの構成が実施例１の取付金具５３と異なるもので、その他の構成は実施例１と同じであるので、同一部分には同一符号を付して詳細な説明は省略する。
【００５４】
この実施例２に係る取付金具５３Ａは、取付部材８１ａ、８１ｂに形成した締付け部８２ａ、８２ｂの一方の側部に円筒状に形成した１つの軸受部８４を一体に設け、締付け部８２ａ、８２ｂ間に約２〜３ｍｍ間隙が形成されるようにしている。すなわち、締付け部８２ａ、８２ｂの側部を軸受部８４により一体に連結した構成となっている。上記軸受部８４の内径は、方向調整軸５４の直径より少し大きく形成される。
【００５５】
そして、締付け部８２ａ、８２ｂの中央部から軸受部８４の側部中央まで略Ｕ字状の溝９０を設けている。この溝９０は、締付け部８２ａ、８２ｂの中央に設けられたボルト挿入穴８３ａ、８３ｂを略半周するように設けられ、軸受部８４の中央部に可動片９１を突出して設けた構成となっている。この可動片９１は、ボルト挿入穴８３ａ、８３ｂに装着した軸固定用ボルト５６に蝶ナット５７を螺着して締め付けたときに、軸固定用ボルト５６の頭部及び蝶ナット５７に圧接されて移動し、上記可動片９１に対応する軸受部８４の中央部の直径が小さくなるように作用する。
【００５６】
上記取付金具５３Ａは、実施例１で説明したようにアンテナ本体４０の支柱取付部４６において取付用ピン５２の金具装着部７０に装着され、軸受部８４が方向調整軸５４により回動可能に保持される。
【００５７】
次に上記のように構成された取付金具５３Ａと方向調整軸５４との間の固定動作を説明する。図９は取付金具５３Ａの軸受部８４に設けた軸固定部９２を断面して示したもので、（ａ）は蝶ナット５７を緩めたときの軸固定部９２の断面図、（ｂ）は蝶ナット５７を締め付けたときの軸固定部９２の断面図である。
【００５８】
アンテナ本体４０の方向を調整する場合、取付金具５３Ａは、締付け部８２ａ、８２ｂのボルト挿入穴８３ａ、８３ｂに挿入した軸固定用ボルト５６に対し、蝶ナット５７を緩めた状態とする。このとき軸受部８４の軸固定部９２には、軸固定用ボルト５６及び蝶ナット５７による圧力が加わらないので、図９（ａ）に示すように２つの可動片９１間は所定の間隔に保持される。このため軸受部８４における軸固定部９２の直径が、その上下位置における直径と同じ値、すなわち方向調整軸５４の直径より少し大きい値に保持されており、方向調整軸５４を軸受部８４内で回動させることができる。この状態でアンテナ本体４０の方向を最適位置に調整する。
【００５９】
そして、上記アンテナ本体４０の方向を調整した後、取付金具５３Ａに取付けられている蝶ナット５７を締め付け、軸受部８４の軸固定部９２に連接されている可動片９１に両側から圧力を加える。このとき図９（ｂ）に示すように２つの可動片９１が接近する方向に移動し、それに伴って軸受部８４における軸固定部９２の直径が小さくなり、方向調整軸５４に強く圧接する。これにより方向調整軸５４は、軸固定部９２との摩擦力により固定された状態に保持され、アンテナ本体４０の位置も固定される。
【００６０】
上記実施例２においても、実施例１と同様に蝶ナット５７を締め付けるだけで、アンテナ本体４０の位置を固定でき、位置ずれを生じ難い構造とすることができると共にアンテナ本体４０と壁面との距離を短くすることができる。
【実施例３】
【００６１】
次に本発明の実施例３に係るアンテナ取付装置について説明する。
【００６２】
図１０は本発明の実施例３に係るアンテナ取付装置をアンテナ本体に取付ける際の分解斜視図、図１１は同アンテナ取付装置をアンテナ本体に取付けた状態を示す斜視図、図１２は同アンテナ取付装置の取付金具部分を示す分解斜視図である。
【００６３】
この実施例３に係るアンテナ取付装置５０Ｂは、取付金具５３Ｂを図１２に示すように第１の金具部材１０１及び第２の金具部材１０２により構成して２軸構造としたもので、アンテナ本体４０及び取付用ピン５２は、実施例１と同じであるので詳細な説明は省略する。
【００６４】
第１の金具部材１０１は、締付け部８２ａ、８２ｂを別体に構成し、それぞれ中心位置にボルト挿入穴８３ａ、８３ｂを設けている。ボルト挿入穴８３ａ、８３ｂには、軸固定用ボルト５６が挿入され、その先端に蝶ナット５７が螺着される。
【００６５】
一方の締付け部８２ａは、取付用ピン５２への取付け側の側部中央から下側を所定長さ側方に延長して形成し、この延長部を例えば時計方向に円筒状に折り曲げて軸受部８４ａ１を構成すると共に、軸受部８４ａ１と反対側の側部中央から上側を所定長さ側方に延長して形成し、この延長部を例えば反時計方向に円筒状に折り曲げて軸受部８４ａ２を構成する。
【００６６】
また、他方の締付け部８２ｂは、取付用ピン５２への取付け側の側部中央から上側を所定長さ側方に延長して形成し、この延長部を例えば反時計方向に円筒状に折り曲げて軸受部８４ｂ１を構成すると共に、軸受部８４ｂ１と反対側の側部中央から下側を所定長さ側方に延長して形成し、この延長部を例えば時計方向に円筒状に折り曲げて軸受部８４ｂ２を構成する。
【００６７】
上記第１の金具部材１０１は、締付け部８２ａ、８２ｂを相対向して位置させ、軸受部８４ａ１、８４ｂ１を同一軸上に保持すると共に、軸受部８４ａ２、８４ｂ２を同一軸上に保持したときに、締付け部８２ａ、８２ｂ間に２〜３ｍｍの間隙が生じるように、各軸受の位置が設定される。
【００６８】
上記軸受部８４ａ１、８４ｂ１は第１の方向調整軸５４ａを回動可能に保持する軸受であり、軸受部８４ａ２、８４ｂ２は第２の方向調整軸５４ｂを回転可能に保持する軸受である。上記第２の方向調整軸５４ｂとしては、例えば角根丸頭ボルトが使用され、軸受部８４ａ２、８４ｂ２内に下側から挿入され、軸受部８４ａ２、８４ｂ２の上部から突出した先端にワッシャ１０４を介してナット１０５が螺着される。このとき第２の方向調整軸５４ｂには、軸受部８４ａ２、８４ｂ２の上下両端位置において第２の金具部材１０２が取付けられる。
【００６９】
上記第２の金具部材１０２は、実施例１で示した壁面取付部８６ａ、８６ｂが第１の金具部材１０１とは別体に設けられる。この壁面取付部８６ａ、８６ｂには、上記したようにそれぞれ上下に取付穴８７が設けられると共に、中央に四角形の取付穴８８が設けられている。上記壁面取付部８６ａ、８６ｂの上部及び下部は、第１の金具部材１０１側に折曲げられて調整軸取付金具１０６ａ、１０６ｂを構成する。調整軸取付金具１０６ａ、１０６ｂは、略三角形状に形成され、軸受部８４ａ２、８４ｂ２の上側及び下側に位置するように高さ位置が設定される。上部の調整軸取付金具１０６ａには中央先端部に円形の軸穴１０７が設けられ、下部の調整軸取付金具１０６ｂには上部の調整軸取付金具１０６ａの軸穴１０７に対応する位置に四角形の軸穴（図示せず）が設けられる。この四角形の軸穴には、第２の方向調整軸５４ｂの頭部付け根の四角形に形成された部分が挿入され、下部の調整軸取付金具１０６ｂに対して第２の方向調整軸５４ｂが回転しないように保持される。上記第２の金具部材１０２は、調整軸取付金具１０６ａ、１０６ｂが軸受部８４ａ２、８４ｂ２の上下両側に位置し、第２の方向調整軸５４ｂに取付けられる。
【００７０】
上記のように構成された取付金具５３Ｂは、図１２に示すように締付け部８２ａ、８２ｂを合わせ、ボルト挿入穴８３ａ、８３ｂに軸固定用ボルト５６を挿入し、その先端に蝶ナット５７を螺着し、軽く締めて仮止めする。この状態では、一方の側部に設けた軸受部８４ａ１、８４ｂ１が同軸上に位置すると共に、他方の側部に設けた軸受部８４ａ２、８４ｂ２が同軸上に位置した状態に保持される。このとき締付け部８２ａ、８２ｂ間は、２〜３ｍｍの間隔に保持される。
【００７１】
そして、上記軸受部８４ａ２、８４ｂ２の軸受部８４ａ２、８４ｂ２側に第２の金具部材１０２を取付ける。この場合、第２の金具部材１０２は、調整軸取付金具１０６ａ、１０６ｂを軸受部８４ａ２、８４ｂ２の上側及び下側に位置させ、軸穴１０７を軸受部８４ａ２、８４ｂ２に一致させる。この状態で調整軸取付金具１０６ｂの軸穴に下側から第２の方向調整軸５４ｂを挿入し、軸受部８４ａ２、８４ｂ２内を挿通させて上部に突出させ、その突出端部にワッシャ１０４を介在してナット１０５を螺着し、第２の方向調整軸５４ｂと第２の金具部材１０２との間を固定する。この場合、第２の方向調整軸５４ｂは、角根丸頭ボルトを使用しているので、第２の金具部材１０２に対して固定した状態に保持されるが、軸受部８４ａ２、８４ｂ２に対しては回動可能な状態に保持される。
【００７２】
上記取付金具５３Ｂは、実施例１の場合と同様にアンテナ本体４０の支柱取付部４６において、取付用ピン５２の金具装着部７０に第１の調整軸５４ａを介して回動可能に装着される。先ず、取付用ピン５２をアンテナ本体４０の支柱取付部４６に設けられている下部ボルト取付基部４７ｂに下方から挿入し、上部取付部６１を上部ボルト取付基部４７ａ内に、また下部取付部６２を下部ボルト取付基部４７ｂ内に位置させる。
【００７３】
この状態で、取付金具５３Ｂの軸受部８４ａ１、８４ｂ１を取付用ピン５２の金具装着部７０に側方の開口部から挿入する。そして、第１の方向調整軸５４ａを取付用ピン５２の下部取付部６２に設けられた軸保持部６７に下側開口部から挿入し、更に金具装着部７０内に位置する取付金具５３Ｂの軸受部８４ａ１、８４ｂ１内を挿通させ、先端のネジ部５５を上部の支持板７１に設けたボルト穴６９より軸固定部６５のナット６６に螺着する。その後、上部ボルト取付基部４７ａのボルト穴４８ａより取付用ボルト５１ａを挿入し、その先端部を取付用ピン５２の上部取付部６１に設けられている長穴６３ａ、６３ｂ内に挿通させ、支柱取付部４６の底部に設けられているナットに螺着する。また、下部ボルト取付基部４７ｂのボルト穴４８ｂより取付用ボルト５１ｂを挿入し、その先端部を取付用ピン５２の下部取付部６２に設けられている長穴６４ａ、６４ｂ内を挿通させ、支柱取付部４６の底部に設けられているナットに螺着し、取付用ピン５２を支柱取付部４６に固定する。この状態では、取付金具５３Ｂの軸受部８４ａ１、８４ｂ１は、第１の方向調整軸５４ａに対して回動可能に保持されている。
【００７４】
そして、上記アンテナ本体４０に装着した取付金具５３Ｂを壁面に取付ける場合は、第２の金具部材１０２に設けられている壁面取付部８６ａ、８６ｂを壁面の取付け位置に当接させ、取付穴８７を利用してネジ止めする。このとき取付金具５３Ｂの一方の軸受部８４ａ１、８４ｂ１は第１の方向調整軸５４ａに対して回動可能に保持され、他方の軸受部８４ａ２、８４ｂ２は第２の方向調整軸５４ｂに対して回動可能に保持されているので、上記２つの軸を利用してアンテナ本体４０の方向を最適位置に調整する。
【００７５】
アンテナ本体４０の方向を調整した後、取付金具５３Ｂの締付け部８２ａ、８２ｂに仮止めされている蝶ナット５７を締め付ける。蝶ナット５７を締め付けると、実施例１の場合と同様に、締付け部８２ａ、８２ｂは間隙が狭くなる方向に移動し、それに伴って第１の方向調整軸５４ａに対する軸受部８４ａ１、８４ｂ１は相反する方向に移動して第１の方向調整軸５４ａに強く圧接する。また、同様に第２の方向調整軸５４ｂに対する軸受部８４ａ２、８４ｂ２も相反する方向に移動して第２の方向調整軸５４ｂに強く圧接する。これにより第１の方向調整軸５４ａは軸受部８４ａ１、８４ｂ１に、また、第２の方向調整軸５４ｂは軸受部８４ａ２、８４ｂ２に固定されることになり、アンテナ本体４０の位置も固定される。
【００７６】
上記のように蝶ナット５７を締め付けるだけで、第１の方向調整軸５４ａ及び第２の方向調整軸５４ｂを同時に固定してアンテナ本体４０の位置を固定することができる。この場合、締付け部８２ａ、８２ｂを軸固定用ボルト５６及び蝶ナット５７により締付け、締付け部８２ａ、８２ｂに連接されている軸受部８４ａ１、８４ｂ１、軸受部８４ａ２、８４ｂ２により、第１の方向調整軸５４ａ、第２の方向調整軸５４ｂをそれぞれ軸の直角方向から挟み込むことで固定するようにしているので、位置ずれを生じ難い構造とすることができる。また、２軸構造の取付金具５３Ｂを使用してアンテナ本体４０を壁面に取付けることにより、アンテナ本体４０の方向調整幅を広くすることができる。
【００７７】
図１３は、本発明の実施例３に係るアンテナ取付装置５０Ｂの方向調整角度を模式的に示したもので、（ａ）はアンテナ本体４０を壁面８９の正面方向に位置させたときの状態を示す平面図、（ｂ）はアンテナ本体４０を最大調整角度まで回動したときの状態を示す平面図である。実施例３に係るアンテナ取付装置５０Ｂは、図１３（ｂ）に示すように壁面８９の正面０°方向に対する最大回動角度θは約９６°であり、アンテナ本体４０の方向を壁面８９の前面側において約１９２°の範囲で調整することができる。上記図１３は、実施例１の場合と同様にアンテナ本体４０の横幅Ｗが約１３０ｍｍ、奥行きＤが約８０ｍｍであり、アンテナ取付装置５０Ｂの第１の方向調整軸５４ａの中心から壁面取付部８６ａ、８６ｂまでの距離Ｌを約８０ｍｍに設定した場合を例として示している。なお、アンテナ本体４０を蝶ナット５７の方向に回動する場合には、アンテナ本体４０の回動範囲が蝶ナット５７により制限されるが、軸固定用ボルト５６と蝶ナット５７の装着位置を入れ換えることにより、左右何れの方向にも最大回動角度である約９６°まで調整することが可能である。
【００７８】
なお、上記各実施例では、アンテナ本体４０を壁面に取付ける場合について説明したが、その他、例えば壁面取付部８６ａ、８６ｂと対向するように他の支柱取付用の金具を設け、この壁面取付部８６ａ、８６ｂと他の支柱取付用金具との間で支柱を挟持することにより、アンテナ本体４０を支柱に取付けて使用することが可能である。
【００７９】
また、本発明は、上記実施の形態そのままに限定されるものではなく、実施段階ではその要旨を逸脱しない範囲で構成要素を変形して具体化できるものである。
【符号の説明】
【００８０】
４０…アンテナ本体、４１…樹脂ケース、４２…前面ケース、４３…背面ケース、４４…窓、４５…接栓、４６…支柱取付部、４７ａ…上部ボルト取付基部、４７ｂ…下部ボルト取付基部、４８ａ、４８ｂ…ボルト穴、５０、５０Ａ、５０Ｂ…アンテナ取付装置、５１ａ、５１ｂ…取付用ボルト、５２…取付用ピン、５３、５３Ａ、５３Ｂ…取付金具、５４…方向調整軸、５４ａ…第１の方向調整軸、５４ｂ…第２の方向調整軸、５５…ネジ部、５６…軸固定用ボルト、５７…蝶ナット、６１…上部取付部、６２…下部取付部、６３ａ、６３ｂ、６４ａ、６４ｂ…長穴、６５…軸固定部、６６…ナット、６７…軸保持部、６８…ボルト挿通孔、６９…ボルト穴、７０…金具装着部、７１…上部の支持板、７２…下部の支持板、７３…後壁、７４ａ、７４ｂ…横リブ、７５ａ、７５ｂ…縦リブ、８１ａ、８１ｂ…取付部材、８２ａ、８２ｂ…締付け部、８３ａ、８３ｂ…ボルト挿入穴、８４、８４ａ、８４ｂ…軸受部、８４ａ１、８４ａ２、８４ｂ１、８４ｂ２…軸受部、８６ａ、８６ｂ…壁面取付部、８７、８８…取付穴、８９…壁面、９０…溝、９１…可動片、９２…軸固定部、１０１…第１の金具部材、１０２…第２の金具部材、１０４…ワッシャ、１０５…ナット、１０６ａ、１０６ｂ…調整軸取付金具、１０７…軸穴。
【図１】
2013021456.tif 000003
【図２】
2013021456.tif 000004
【図３】
2013021456.tif 000005
【図４】
2013021456.tif 000006
【図５】
2013021456.tif 000007
【図６】
2013021456.tif 000008
【図７】
2013021456.tif 000009
【図８】
2013021456.tif 000010
【図９】
2013021456.tif 000011
【図１０】
2013021456.tif 000012
【図１１】
2013021456.tif 000013
【図１２】
2013021456.tif 000014
【図１３】
2013021456.tif 000015
【図１４】
2013021456.tif 000016
【図１５】
2013021456.tif 000017
【図１６】
2013021456.tif 000018